(57)【要約】【課題】ガスボンベ本体やネックリングに対して特別な加工を施すことを必要としないで取り付けることができるとともに、一旦取り付けたあとはガスボンベから簡単には脱離させることのできないガスボンベ用無線ＩＣタグを提供する。【解決手段】大略リング形状をしたガスボンベ用無線ＩＣタグ３０であって、ガスボンベ１０のネックリング２０を囲繞しながら該ネックリングに対して密着固定される固定部３２と、前記固定部の外側に延在して、その内部にタグインレットが埋設される張出部３４と、を備えて、少なくとも張出部は電磁波透過性材料からなる。【選択図】図１
2009103213.tif 000002
【特許請求の範囲】
【請求項１】
大略リング形状をしたガスボンベ用無線ＩＣタグであって、
ガスボンベのネックリングを囲繞しながら該ネックリングに対して密着固定される固定部と、
前記固定部の外側に延在して、その内部にタグインレットが埋設される張出部と、を備えて、
少なくとも張出部は電磁波透過性材料からなることを特徴とするガスボンベ用無線ＩＣタグ。
【請求項２】
前記固定部は、伸縮性を有するエラストマー材料から構成されていることを特徴とする、請求項１記載のガスボンベ用無線ＩＣタグ。
【請求項３】
前記固定部及び張出部は、伸縮性を有するエラストマー材料から構成されていて、張出部の径方向の厚みが固定部のそれよりも肉厚に構成されていることにより、張出部が実質的に伸縮変形不可になっていることを特徴とする、請求項１記載のガスボンベ用無線ＩＣタグ。
【請求項４】
上リング体及び下リング体によって前記固定部を一体的に挟持したあと、挟持されたものを結束バンドで束ねることを特徴とする、請求項２又は３に記載のガスボンベ用無線ＩＣタグ。
【請求項５】
前記上リング体及び下リング体は、互いに嵌合する凹部と凸部をそれぞれ有することを特徴とする、請求項４記載のガスボンベ用無線ＩＣタグ。
【請求項６】
前記固定部は、非伸縮性の樹脂材料から構成されていて、固定部の内面にはネックリングの外ネジ部に螺合する内ネジ部が形成されていることを特徴とする、請求項１記載のガスボンベ用無線ＩＣタグ。
【請求項７】
前記張出部は、径方向に直交する上下方向に延在することを特徴とする、請求項１記載のガスボンベ用無線ＩＣタグ。
【請求項８】
前記タグインレットは、前記固定部よりは下側に埋設されていることを特徴とする、請求項７記載のガスボンベ用無線ＩＣタグ。
【請求項９】
前記タグインレットは、大略円弧形状をしていて固定部と大略同心であるように埋設されることを特徴とする、請求項１乃至８のいずれかに記載のガスボンベ用無線ＩＣタグ。
【請求項１０】
前記固定部は、接着剤を介してネックリングに対して密着固定されていることを特徴とする、請求項１乃至９のいずれかに記載のガスボンベ用無線ＩＣタグ。
【請求項１１】
前記張出部の表面には、ガスボンベを特定するための表示部を有することを特徴とする、請求項１乃至１０のいずれかに記載のガスボンベ用無線ＩＣタグ。
【発明の詳細な説明】
【技術分野】
【０００１】
本発明は、高圧ガスを収容する金属製ガスボンベに取り付けられるＲＦＩＤタグ（Radio Frequency-IDentification Tag）すなわち無線ＩＣタグに関する。
【背景技術】
【０００２】
酸素ガス、窒素ガス、炭酸ガス、アセチレンガス、水素ガス又はプロパンガス等のガスが充填されたガスボンベには、高圧ガス保安法等の法規制により、容器検査等を定期的に行うことが求められている。このようなガスボンベに対しては、内容物の種類と容積、耐圧、製造年月日、製造者、製造番号等のガスボンベに関する各種情報を管理しておくことが要求される。
【０００３】
これまでは、管理者等が金属製ガスボンベに刻印された製造番号を目視で確認・照合することでガスボンベの管理がなされていたために、非常に不便であり多大な手間もかかり、管理効率が極めて悪かった。
【０００４】
このような問題を解決するために、ガスボンベを構成するネックリングに形成した溝部内に無線ＩＣタグを配置することが提案されている（例えば、特許文献１参照。）。金属製ガスボンベ本体を加工してＲＦＩＤタグを埋め込む構造にすることは、高圧ガス保安法上問題であるので、その代わりに、金属製ネックリングに溝部を形成して、その中に無線ＩＣタグを埋設するというものである。
【０００５】
特許文献１に開示されている無線ＩＣタグの取付構造では、金属製ネックリングに対して溝部を機械的に加工する必要があるので、コストが高いという問題がある。また、現在流通しているガスボンベには、そのまま適用することができず、ガスボンベを一旦回収した上でネックリングに溝加工を施したガスボンベを元に戻すということになるので、簡単に設置できるというものではない。さらにまた、無線ＩＣタグが金属製のネックリング内に埋設されているために、無線ＩＣタグの電波強度が大幅に低下するので、外部端末との通信が不安定になるという問題もある。
【０００６】
また、ガスボンベに対して無線ＩＣタグを紐で添付したりガスボンベの表面に貼り付けたりすることが開示されている（例えば、特許文献２参照。）。無線ＩＣタグを紐で添付したり貼り付けたりする方法では、取付が容易である反面、無線ＩＣタグの紛失や故意又は過失での取り替え事故が簡単に発生してしまう。したがって、特許文献２の取付方法では、ガスボンベと無線ＩＣタグとを一対一で連関するというタグ本来の特定・同定機能が損なわれるという問題がある。
【０００７】
【特許文献１】特開２００２−１８１２９６号公報
【特許文献２】特開平０５−２８８２９９号公報
【発明の開示】
【発明が解決しようとする課題】
【０００８】
したがって、本発明の解決すべき技術的課題は、ガスボンベ本体やネックリングに対して特別な加工を施すことを必要としないで取り付けることができるとともに、一旦取り付けたあとはガスボンベから簡単には脱離させることのできないガスボンベ用無線ＩＣタグを提供することである。
【課題を解決するための手段および作用・効果】
【０００９】
上記技術的課題を解決するために、本発明によれば、以下のガスボンベ用無線ＩＣタグが提供される。
【００１０】
すなわち、本発明に係るガスボンベ用無線ＩＣタグは、
大略リング形状をしたガスボンベ用無線ＩＣタグであって、
ガスボンベのネックリングを囲繞しながら該ネックリングに対して密着固定される固定部と、
前記固定部の外側に延在して、その内部にタグインレットが埋設される張出部と、を備えて、
少なくとも張出部は電磁波透過性材料からなることを特徴とする。
【００１１】
上記ガスボンベ用無線ＩＣタグによれば、固定部によりガスボンベのネックリングに密着固定されているので、ガスボンベの側で特別な加工を必要としないで取付も容易であるとともに、無線ＩＣタグの紛失や故意又は過失での取り替え事故を防止することができる。それとともに、電磁波透過性材料からなる固定部の外側に延在する張出部にタグインレットが埋設されているので、無線ＩＣタグの電磁波強度が低下することなく外部端末と通信することができる。
【００１２】
無線ＩＣタグの固定部をガスボンベのネックリングに密着固定させるために、固定部は、伸縮性を有するエラストマー材料から構成されている。このように構成によれば、無線ＩＣタグがガスボンベのネックリングに対して弾性的に密着固定される。
【００１３】
固定部及び張出部は、別部材から構成することもできるが、どうしてもコスト高になってしまう。そこで、固定部及び張出部は、伸縮性を有するエラストマー材料から構成されていて、張出部の径方向の厚みが固定部のそれよりも肉厚に構成されていることにより、張出部が実質的に伸縮変形不可になっていることが好適である。
【００１４】
固定部が伸縮性を有することは、悪意者が力任せに固定部を無理矢理拡張すれば無線ＩＣタグを取り外せることになってしまう。そこで、故意による取り替え事故に対する安全性をさらに高めるために、上リング体及び下リング体によって前記固定部を一体的に挟持したあと、挟持されたものを結束バンドで束ねることが好ましい。
【００１５】
上リング体及び下リング体は、互いに嵌合する凹部と凸部をそれぞれ有する。専用工具を用いて、リング体同士の凹部と凸部との間の嵌合を解除しなければ一体挟持物を分解することができないので、故意による取り替え事故に対する安全性をさらに高めることができる。
【００１６】
無線ＩＣタグをガスボンベのネックリングに密着固定させるための他の形態として、固定部は、非伸縮性の樹脂材料から構成されていて、固定部の内面にはネックリングの外ネジ部に螺合する内ネジ部が形成されている。このように構成によれば、無線ＩＣタグがガスボンベのネックリングに対して螺合により密着固定される。
【００１７】
張出部は、径方向に直交する上下方向に延在するように構成することもできる。
【００１８】
タグインレットは、固定部よりは下側に埋設されている。
【００１９】
タグインレットにおけるアンテナ部の領域を大きく確保するために、タグインレットは、大略円弧形状をしていて固定部と大略同心であるように埋設されることが好ましい。
【００２０】
上述したように固定部での弾性力や螺合により無線ＩＣタグがガスボンベのネックリングに密着固定されているが、密着固定力をさらに高めるために、固定部は、接着剤を介してネックリングに対して密着固定されていることが好ましい。
【００２１】
万が一、無線ＩＣタグが機能不全に陥ったときでもガスボンベを特定することができるように、張出部の表面には、ガスボンベを特定するための表示部を有することが好ましい。
【発明を実施するための最良の形態】
【００２２】
以下に、本発明の第一実施形態に係るガスボンベ用無線ＩＣタグ３０について、図１乃至３を参照しながら詳細に説明する。なお、本発明に係るガスボンベ用無線ＩＣタグ３０は、酸素ガス、窒素ガス、炭酸ガス、アセチレンガス、水素ガス又はプロパンガス等のガスが充填されたガスボンベ１０に対して好適である。当該無線ＩＣタグ３０は、現在流通しているガスボンベや新規に流通するガスボンベにも適用することができる。
【００２３】
図１は、本発明に係る無線ＩＣタグ３０をガスボンベ１０に装着した状態を説明する斜視図であり、図２は、図１の説明図を別の視点で見た図であり、図３は、本発明の第一実施形態に係る無線ＩＣタグ３０を示した図である。
【００２４】
図１乃至３に示すように、大略円筒形状をした金属製ガスボンベ１０の本体の開口端部には、金属製のネックリング２０がカシメによって取り付けられている。ネックリング２０の上端の外周部には、不図示の保護キャップを取り付けるための外ネジ部２４が形成されている。ネックリング２０の外ネジ部２４又は、外ネジ部２４の下側のネジ無しのフラット部に対して無線ＩＣタグ３０が後述する構成により密着固定されている。
【００２５】
図３に示すように、無線ＩＣタグ３０は、ガスボンベ１０のネックリング２０に対して密着固定される固定部３２と、固定部３２の外縁にあって外方に張り出している張出部３４と、を備えている。ネックリング２０を弾性的に密着しながら囲繞するように寸法構成された円環形状の固定部３２は、シリコンゴムやフッ素ゴム等のゴム系材料や、スチレン系(SBC)、オレフィン系(TPO)、塩ビ系(TPVC)、ウレタン系(PU)、エステル系(TPEE)、アミド系(TPAE)等の熱可塑性樹脂材料であって、伸縮性（弾性）と耐候性とを備えたエラストマーからなることが好適である。これらのエラストマーは、１２５ｋＨｚ帯や１３．５６ＭＨｚ帯の電磁波や、９５３ＭＨｚのＵＨＦ帯電波や２．４５ＧＨｚのマイクロ波電波を透過させることのできる電磁波透過性材料である。
【００２６】
固定部３２は作業者の力で伸張可能な程度の弾性を有する一方、固定部３２の内部にタグインレット４０が埋設される張出部３４は、内蔵のタグインレット４０ができるだけ外力による変形を受けない程度の剛性を有するように構成されている。張出部３４を固定部３２と同じ材質のものから構成する場合、固定部３２と肉厚は同じであるが径方向の寸法を幅広にすることにより、張出部３４に剛性を増大させることができる。また、タグインレット４０を別の剛性容器に内装した状態で固定部３２と同じ材質のものを被覆する構成とすることができる。また、張出部３４を固定部３２とは異質な材料で構成することもできる。固定部３２及び張出部３４は、一体成形又は接着により一体に固定される。いずれも場合においても、少なくとも、タグインレット４０を含む張出部３４は、タグインレット４０が外部端末と通信することができるように、電磁波透過性材料からなる。
【００２７】
固定部３２は、例えば、内径寸法が８０ｍｍ、幅寸法が２ｍｍ、肉厚寸法が３ｍｍであり、張出部３４は、例えば、幅寸法が１０ｍｍ、肉厚寸法が３ｍｍであり、扇形の角度が１２０度である。固定部３２及び張出部３４がシリコンゴムの一体成形により作成される。例えば、ガスボンベ１０のネックリング２０の外径寸法が約９０ｍｍであると、固定部３２の内径寸法が小さ目に寸法構成されているので、固定部３２がネックリング２０に対して弾性収縮する（弾性的に食らい付く）。したがって、無線ＩＣタグ３０の固定部３２は、ガスボンベ１０のネックリング２０に対して密着固定されている。
【００２８】
タグインレット４０は、記憶部や送受信部や制御部等を備えたＩＣチップと、ＩＣチップの送受信部に接続されたアンテナコイルと、ＩＣチップ及びアンテナコイルが搭載される基板と、を有する。タグインレット４０の記憶部には、ガスボンベ１０の充填物の種類や容積、耐圧、製造年月日、製造者、製造番号、耐圧試験結果、使用履歴等のガスボンベ１０に関する各種情報が記憶されている。そして、ＩＣチップは、リードオンリー型、ライトワンス・リードメニュー型、リードライト型のいずれであってもよい。タグインレット４０としては、１２５ｋＨｚ帯や１３．５６ＭＨｚ帯の電磁波を利用した電磁誘導型のものや、９５３ＭＨｚのＵＨＦ帯の電波や２．４５ＧＨｚのマイクロ波帯の電波を利用した電波型のものが利用可能である。なお、電波型のものは、通信距離が長い反面、指向性が強いという特性を有する。
【００２９】
図３に示した第一実施形態に係る無線ＩＣタグ３０においては、タグインレット４０の埋設される張出部３４が右側だけに片寄って存するので、指向性の強い電波型のものはあまり好ましいとは言えず、電磁誘導型の方が好適である。したがって、図３に示した第一実施形態に係る無線ＩＣタグ３０においては、電磁誘導型のタグインレット４０が埋設される。
【００３０】
また、張出部３４は固定部３２と大略同心円の扇型形状に形成されているので、埋設されるタグインレット４０も、大略同心円の扇型形状に形成されている。タグインレット４０のアンテナコイルは円弧状に延在している。このように構成されたアンテナコイルは、コイル長を長くすることができるので、アンテナ感度が向上する。
【００３１】
次に、図４を参照しながら、本発明の第二実施形態に係る無線ＩＣタグ３０について説明するが、上述した第一実施形態に係る無線ＩＣタグ３０と共通する部分については省略するとともに、両者の相違点を中心に説明する。
【００３２】
図４に示した第二実施形態に係る無線ＩＣタグ３０においては、タグインレット４０の埋設される張出部３４が左右の二箇所に配設されている。左右対称に配置された張出部３４のそれぞれに対してタグインレット４０が埋設されるが、指向性の強い電波型のものを左右の張出部３４のそれぞれに埋設することにより、指向性に関する弱点をカバーすることができる。もちろん、電磁誘導型のものをそれぞれに埋設したり、一方に電波型のものを埋設するとともに他方に電磁誘導型のものを埋設したりすることも可能である。
【００３３】
次に、図５を参照しながら、本発明の第三実施形態に係る無線ＩＣタグ３０について説明するが、上述した実施形態に係る無線ＩＣタグ３０と共通する部分については省略するとともに、両者の相違点を中心に説明する。
【００３４】
図５に示した第三実施形態に係る無線ＩＣタグ３０においては、タグインレット４０の埋設される張出部３４が、径方向に直交する上下方向に延在している。張出部３４は、固定部３２より下側に延在するが、金属の影響を受けることがないように、ネックリング２０の肩部２６からは離間している。張出部３４は円環状に延在する固定部３２の右側部分に沿って円弧状に湾曲して延在している。張出部３４に埋設されているタグインレット４０も円弧状に湾曲して延在している。
【００３５】
固定部３２は、例えば、内径寸法が８０ｍｍ、幅寸法が２ｍｍ、肉厚寸法が３ｍｍであり、張出部３４は、例えば、幅寸法が３ｍｍ、肉厚が１３ｍｍであり、固定部３２及び張出部３４がシリコンゴムの一体成形により作成される。すなわち、張出部３４は固定部３２よりも約１０ｍｍ下方に突出している。そして、張出部３４の下端は、ネックリング２０の肩部２６から５乃至１０ｍｍの距離で離間しているので、金属部分での渦電流の影響を受けることがない。
【００３６】
次に、図６を参照しながら、本発明の第四実施形態に係る無線ＩＣタグ３０について説明するが、上述した実施形態に係る無線ＩＣタグ３０と共通する部分については省略するとともに、両者の相違点を中心に説明する。
【００３７】
図６に示した第四実施形態に係る無線ＩＣタグ３０においては、固定部３２が、非伸縮性の樹脂材料から構成されていて、固定部３２の内面にはネックリング２０の外ネジ部２４に螺合する内ネジ部３６が形成されている。無線ＩＣタグ３０をネックリング２０にねじ込むことにより密着固定される。
【００３８】
張出部３４を固定部３２と同じ樹脂材料のものから構成する場合、固定部３２と肉厚は同じであるが径方向の寸法を幅広にすることにより、張出部３４に剛性を与えることができる。また、タグインレット４０を別の剛性容器に内装した状態で固定部３２と同じ材質のものを被覆する構成とすることができる。また、張出部３４を固定部３２とは異質な材料で構成することもできる。固定部３２及び張出部３４は、一体成形又は接着により一体に固定される。いずれも場合においても、少なくとも、タグインレット４０を含む張出部３４は、タグインレット４０が外部端末と通信することができるように、電磁波透過性材料からなる。
【００３９】
固定部３２は、例えば、内径寸法が８０ｍｍ、幅寸法が２ｍｍ、肉厚寸法が３ｍｍであり、張出部３４は、例えば、幅寸法が１０ｍｍ、肉厚寸法が３ｍｍであり、扇形の角度が１２０度である。固定部３２及び張出部３４がエンジニアプラスチックの一体成形により作成される。固定部３２及び張出部３４として、例えば、ポリフェニレンサルファイド（ＰＰＳ）等の強化プラスチックが使用される。これらの強化プラスチックは、１２５ｋＨｚ帯や１３．５６ＭＨｚ帯の電磁波や、９５３ＭＨｚのＵＨＦ帯電波や２．４５ＧＨｚのマイクロ波電波を透過させることのできる電磁波透過性材料である。
【００４０】
次に、図７を参照しながら、本発明の第五実施形態に係る無線ＩＣタグ３０について説明するが、上述した実施形態に係る無線ＩＣタグ３０と共通する部分については省略するとともに、両者の相違点を中心に説明する。
【００４１】
図７に示した第五実施形態に係る無線ＩＣタグ３０においては、タグインレット４０の埋設される張出部３４が、固定部３２に対して非同心に延在している。張出部３４に埋設されるタグインレット４０が長方形形状をしているので、張出部３４は、内側が円弧であり外側が方形形状をした多角形形状をしている。扇型形状のタグインレット４０と比較してコイル長が短くなることを避けるために、タグインレット４０が長寸に構成されている。したがって、アンテナ感度の低下が防止されている。
【００４２】
固定部３２は、例えば、内径寸法が８０ｍｍ、幅寸法が２ｍｍ、肉厚寸法が３ｍｍであり、張出部３４は、例えば、幅寸法が１０ｍｍ、長さ寸法が１００ｍｍ、肉厚寸法が３ｍｍであり、扇形の角度が１２０度である。固定部３２及び張出部３４がシリコンゴムの一体成形により作成される。
【００４３】
次に、図８乃至１１を参照しながら、本発明の第六実施形態に係る無線ＩＣタグ３０について説明するが、上述した実施形態に係る無線ＩＣタグ３０と共通する部分については省略するとともに、両者の相違点を中心に説明する。
【００４４】
図８、１０及び１１に示した第六実施形態に係る無線ＩＣタグ３０においては、上リング体５０及び下リング体６０によって伸縮性を有する固定部３２を一体的に挟持したあと、挟持されたものを結束バンド８２で束ねられている。
【００４５】
図９に示すように、薄板状の円環体であって剛性を有する金属製の上リング体５０及び下リング体６０には、円周方向に対して斜めに切り込まれた狭幅の切込部５４，６４と、切込部５４，６４に対して１８０度の角度で対向配置されて厚み方向に突出した突出部５２，６２と、円環体の内側に形成された三つの切欠部５８，６８と、がそれぞれ設けられている。上リング体５０の切込部５４に下リング体６０の突出部６２が係合し、上リング体５０の突出部５２が下リング体６０の切込部６４に係合する。円周方向に対して斜め延在する切り込まれた切込部５４，６４に対して円周方向に延在する突出部５２，６２を挿入することにより、両者の間には弾性保持力が作用するので、突出部５２，６２の抜けを防止することができる。さらに、突出部５２，６２を切込部５４，６４に挿入した後に突出部５２，６２の先端を内側又は外側に折り曲げることにより、突出部５２，６２の抜け防止を強化してもよい。
【００４６】
上リング体５０及び下リング体６０の間で無線ＩＣタグ３０の固定部３２を一体的に挟持した積層挟持体を外れにくくするために、結束バンド８２が使用される。ガスボンベ１０は屋外で使用されることが多いので、耐候性のある結束バンド８２が好適である。結束バンド８２を挿通することができるように、無線ＩＣタグ３０の固定部３２の内周面には、三つの切欠部３８が形成されている。これらの各切欠部３８は、一体的に積層挟持したときに、上リング体５０及び下リング体６０の各切欠部５８，６８と同じ位置にくるように構成されている。
【００４７】
図１０に示すように、ネックリング２０の頂部２２から、下リング体６０、無線ＩＣタグ３０及び上リング体５０を順次挿入したあと、各切欠部３８，５８，６８が整列するように位置決めした状態で結束バンド８２を各切欠部３８，５８，６８に挿通して締め付けられる。その結果、図１１に示すように、上リング体５０及び下リング体６０の間で無線ＩＣタグ３０が一体に挟持されているとともに結束バンド８２で結束された結束体８０をガスボンベ１０のネックリング２０に密着固定することができる。
【００４８】
結束バンド８２としては、例えば、耐候性に優れたポリエーテルエーテルケトン（ＰＥＥＫ）からなる専用仕様のものが使用される。結束バンド８２を専用仕様のものとすることで、第三者が結束バンド８２を故意に取り外した場合に、結束バンド８２の取り外しを容易に見出すことができる。
【００４９】
上記結束体８０の変形例としては、不図示であるが、次のような構成とすることもできる。
【００５０】
薄板状の円環体であって剛性を有する金属製の上リング体５０及び下リング体６０には、円周方向に沿って延在する狭幅の挿入穴と、切欠部に対して１８０度の角度で対向配置されて厚み方向に突出した突出部と、円環体の内側に形成された三つの切欠部と、がそれぞれ設けられている。突出部の少なくとも一面には鋸歯状の引っ掛かり部が形成されている。上リング体５０の挿入穴に下リング体６０の突出部が係合し、上リング体５０の突出部が下リング体６０の挿入穴に係合する。鋸歯状の引っ掛かり部を有する突出部を挿入穴に挿入することにより、両者の間には係止力が作用するので、突出部の抜けを防止することができる。さらに、突出部を挿入穴に挿入した後に突出部の先端を内側又は外側に折り曲げることにより、突出部の抜け防止を強化してもよい。
【００５１】
次に、図１２を参照しながら、本発明の第八実施形態に係る無線ＩＣタグ３０について説明するが、上述した実施形態に係る無線ＩＣタグ３０と共通する部分については省略するとともに、両者の相違点を中心に説明する。
【００５２】
第八実施形態に係る無線ＩＣタグ３０においては、図１２（Ａ）に示すように、張出部３４の上面に、表示部４８として数字が印字されていて、図１２（Ｂ）に示すように、張出部３４の上面に、表示部４８としてバーコードが印字されている。ガスボンベ１０の管理者は表示部４８として設けられた数字又はバーコードを参照することにより、万が一、無線ＩＣタグ３０のタグインレット４０が機能不全に陥ったときでも、ガスボンベ１０を特定することができる。このような表示部４８は、上述した各種の無線ＩＣタグ３０に対しても形成することができる。
【００５３】
上述した各種実施形態の無線ＩＣタグ３０と外部の読取端末機との間で、１２５ｋＨｚ帯や１３．５６ＭＨｚの電磁波、又は９５３ＭＨｚのＵＨＦ帯電波や２．４５ＧＨｚのマイクロ波電波を介して通信を行うことができ、ＩＣチップに記憶されたガスボンベ１０に関する情報を読み取ることができたことが確認された。なお、無線ＩＣタグ３０が通信可能な電磁波や電波は、上述した周波数帯に限定されるものではなく、他の周波数帯であっても利用可能である。
【００５４】
なお、固定部３２での弾性力や螺合により無線ＩＣタグ３０がガスボンベ１０のネックリング２０に対して十分に密着固定されているが、接着剤を用いて密着固定力をより高めることができる。
【００５５】
金属材料からなるネックリング２０の外ネジ部２４とシリコンゴム材料からなる固定部３２の内周面との間での弾性密着や、金属材料からなるネックリング２０の外ネジ部２４と樹脂材料からなる固定部３２の内ネジ部３６との間での螺合や、上下のリング体５０，６０を用いた無線ＩＣタグ３０の積層挟持体に対しては、例えば、シアノアクリレート系モノマーを主成分とした瞬間強力接着剤や、主剤及び硬化剤の二液を混合する常温硬化反応型変性アクリレート系接着剤を介在させることで、密着固定力の向上を図ることができる。また、上記螺合による密着固定に対しては、酢酸ビニル樹脂やジメタクリレートエステルを主成分とするネジロック剤を用いることもできる。
【図面の簡単な説明】
【００５６】
【図１】本発明に係る無線ＩＣタグをガスボンベに装着した状態を説明する斜視図である。
【図２】図１の説明図において、（Ａ）は上から見た図であり、（Ｂ）はネックリング周辺の要部断面図である。
【図３】本発明の第一実施形態に係る無線ＩＣタグを説明する図である。（Ａ）は平面図であり、（Ｂ）は線３−３’で切断した断面図である。
【図４】本発明の第二実施形態に係る無線ＩＣタグを説明する図である。（Ａ）は平面図であり、（Ｂ）は線４−４’で切断した断面図である。
【図５】本発明の第三実施形態に係る無線ＩＣタグを説明する図である。（Ａ）は平面図であり、（Ｂ）は線５−５’で切断した断面図である。
【図６】本発明の第四実施形態に係る無線ＩＣタグを説明する図である。（Ａ）は平面図であり、（Ｂ）は線６−６’で切断した断面図である。
【図７】本発明の第五実施形態に係る無線ＩＣタグを説明する図である。（Ａ）は平面図であり、（Ｂ）は線７−７’で切断した断面図である。
【図８】本発明の第六実施形態に係る無線ＩＣタグを説明する図である。（Ａ）は平面図であり、（Ｂ）は線８−８’で切断した断面図である。
【図９】本発明の第七実施形態において使用されるリング体を説明する図である。（Ａ）はリング体の平面図であり、（Ｂ）は上リング体及び下リング体の斜視図である。
【図１０】本発明の第七実施形態に係る無線ＩＣタグの装着方法を説明する図である。
【図１１】本発明の第七実施形態に係る無線ＩＣタグの装着状態を示す図である。
【図１２】本発明の第八実施形態に係る無線ＩＣタグを説明する図である。
【符号の説明】
【００５７】
１０  ガスボンベ
２０  ネックリング
２２  頂部
２４  外ネジ部
２６  肩部
３０  無線ＩＣタグ
３２  固定部
３４  張出部
３６  内ネジ部
３８  切欠部
４０  タグインレット
４８  表示部
５０  上リング体
５２  突出部
５４  切込部
５８  切欠部
６０  下リング体
６２  突出部
６４  切込部
６８  切欠部
７０  専用工具
７２  切込部
７４  突出部
８０  結束体
８２  結束バンド
【図１】
2009103213.tif 000003
【図２】
2009103213.tif 000004
【図３】
2009103213.tif 000005
【図４】
2009103213.tif 000006
【図５】
2009103213.tif 000007
【図６】
2009103213.tif 000008
【図７】
2009103213.tif 000009
【図８】
2009103213.tif 000010
【図９】
2009103213.tif 000011
【図１０】
2009103213.tif 000012
【図１１】
2009103213.tif 000013
【図１２】
2009103213.tif 000014